(57)【特許請求の範囲】
【請求項１】
ペーパーまたはカードボードおよびサーモプラスチックの積層材（３）で構成され、その一縁部に沿って延在したジョイントストリップ（４）を備えている連続材料ウェブ（１）から製造される形式のパッケージ（２）であって、透明性を有するプラスチックからなるジョイントストリップ（４）がパッケージ（２）の壁面（５）の一部を形成し、また開口構造部（７）がジョイントストリップ（４）に形成されていて、前記積層材（３）がパンチ加工されていないことを特徴とするパッケージ。
【請求項２】
請求項１に記載のパッケージ（２）であって、開口構造部（７）が熱シールされたカバーストリップ（９）でカバーされた予めパンチ形成された穴（８）を含むことを特徴とするパッケージ。
【請求項３】
請求項２に記載のパッケージ（２）であって、開口構造部（７）の穴（８）およびカバーストリップ（９）が外側蓋部分（１３）でカバーされていることを特徴とするパッケージ。
【請求項４】
請求項１に記載のパッケージ（２）であって、レベルマーキング（１１）がジョイントストリップ（４）に隣接する積層材の部分（３）に印刷されたことを特徴とするパッケージ。
【請求項５】
請求項１に記載のパッケージ（２）であって、レベルマーキング（１１）がジョイントストリップ（４）に印刷されたことを特徴とするパッケージ。
【発明の詳細な説明】
【０００１】
【産業上の利用分野】
本発明は、ペーパーまたはカードボードおよびサーモプラスチックの積層材で構成され、その一縁部に沿って走るジョイントストリップを備えた連続材料ウェブから製造される形式のパッケージに関する。
【０００２】
【従来の技術】
液体食品用の１回使用の使い捨てパッケージはしばしば、ペーパーまたはカードボードのコアーにサーモプラスチックおよび可能とされるアルミニウム箔が積層された積層材から製造される形式のものである。この材料ウェブは充填機械の中で管状に形成され、意図される内容物を充填され、個々のパッケージに切断され、最終的には仕上げられたカートンまたはパッケージに形成される。この形式のパッケージに関しては、液体内容物と接触する内側材料ウェブの縁はペーパー層の中にパッケージ内容物が侵入し得ないように保護されることを必要とする。これは一般にサーモプラスチックの幅の狭いジョイントストリップで対処される。このジョイントストリップは永久的に固着される、すなわち材料ウェブに積層された内側プラスチック層の一部を構成するか、またはこの代わりにジョイントストリップは一旦積層準備された材料ウェブに対して付与され得る。
【０００３】
このような液体食品用パッケージはまた幾つかの形式の開口構造も備えており、これらは予めパンチ形成した穴をプラスチックストリップでカバーして構成され得る。またこのような例において穴の縁は、密閉した内容物から露出ペーパー繊維を保護するために、内側ストリップによってカバーされていなければならない。
【０００４】
【発明が解決しようとする課題】
本発明の１つの目的は、ジョイントストリップが完成パッケージの壁面の一部を構成し、これにより消費者が製品を見られるようにする壁パネルを形成するように、ジョイントストリップ設計することである。
【０００５】
本発明の他の目的は、ジョイントストリップが表面に開口構造部を含んでなることである。このような例では、ペーパー層のパンチ加工は回避され、この結果としてパッケージ内容物から保護すべき如何なる自由ペーパー縁も生じない。
【０００６】
【課題を達成するための手段】
これらのおよび他の目的は、冒頭で説明した形式のパッケージにおいて、透明性を有するプラスチックからなるジョイントストリップがパッケージの壁面の一部を構成し、開口構造部がこのジョイントストリップに備えられされていて、前記積層材がパンチ加工されていない特徴を与えられた本発明により達成される。
【０００７】
本発明の好ましい実施例は、特許請求の範囲に記載された特徴を更に与えられる。
【０００８】
本発明の好ましい実施例が、以下に添付図面を参照して非常に詳細に説明される。
【０００９】
図面を参照すれば、図１は本発明によるパッケージ２に使用が意図される材料ウェブ１の断片を示す。材料ウェブ１の幅の広い部分３はペーパーまたはカードボードのコアーにサーモプラスチックおよび使用可能なアルミニウム箔の異なる層が積層された積層材で構成されている。通常、この積層材は所望のパッケージ２を製造するために必要とされる幅の全体を構成し、従来技術によるこの材料ウェブ１は幅の狭い薄いジョイントストリップを備えていた。本発明によるこのパッケージ２はパッケージを形成する積層材３の一部のみで構成され、比較的幅の広い良好な透明性を有するプラスチックストリップすなわちジョイントストリップ４は材料ウェブの一方の縁に沿って積層材に固定的にシール結合される。このジョイントストリップ４は完成したパッケージ２の安定性に悪影響を及ぼさないように剛性とされる。ジョイントストリップ４を製造するプラスチックは一方の縁に沿って材料ウェブ３にシール結合できるように熱シール可能とされねばならず、また充填機械の管形成作業においては他側の縁にシール結合できねばならない。ジョイントストリップ４は熱シールの可能性、透明性、剛性およびガス遮断特性に関してジョイントストリップ４に課せられる様々な条件を満たす異なるプラスチック層の積層材で適当に構成される。このような例において、一方でパッケージの内容物に面するように内側に向けて折り返された積層材の縁を保護し、他方で消費者が密閉された内容物を見ることができるようにした壁面５をパッケージ２に形成するジョイントストリップ４を得ることになる。ジョイントストリップ４の幅は完成パッケージ２の長手方向の側面６の半分にほぼ等しい。ジョイントストリップ４を金属化することにより異なる形式の専用のパッケージが得られる。従って、固定的にシール結合されたジョイントストリップ４により、図１によるパッケージ材料ウェブ１の幅は、所望のパッケージ寸法を製造するために必要な幅となる。
【００１０】
その表面上にジョイントストリップ４は開口構造部７を含む。この開口構造部７は好ましい実施例においてはパンチ加工されて形成された穴８とされ、この穴は固定的にシール結合されたカバーストリップ９でカバーされる。従って、この穴８はジョイントストリップ４にパンチ加工され、次ぎの作業行程でこの穴８はプルタブと称される固定的にシール結合されたカバーストリップ９によりカバーされる。プルタブストリップ９は折り曲げられたシール結合されない部分１０を備え得るのであり、この部分はプルタブストリップ９を切り離すときに握りラグとして作用する。穴開けおよびカバーストリップ９の固定シールはそれぞれジョイントストリップ４がパッケージ積層材即ちウェブ部分３に対してシールされる前、またはジョイントストリップ４がパッケージ積層材３に対してシールされた後に行われる。
【００１１】
この代わりに、積層部分３は充填機械に対して別々に給送され、積層部分３に対するジョイントストリップ４のシール並びに穴開けおよびカバーストリップのシールは充填機械の中で実施される。
【００１２】
本発明の他の実施例が図３に示されている。これにおいて予めパンチ加工した穴８を有し、外部カバーストリップ９のあるまたは無い完成パッケージ２は外側蓋部分１３を備えており、この蓋部分は１つまたはそれ以上の部品に事前に射出成形され得る。
【００１３】
図１による完成した材料ウェブ１はチューブ内に充填する機械の中で形成され、意図した内容物が充填され、シールされ、個々のパッケージ２に切断され、そして最終的に完成パッケージ形に形成される。このパッケージ形は図２に示されるような外観を有する。これに代えて、例えば四面体およびクッション形パッケージのように連続した材料ウェブ１で製造された後に個々のパッケージ２に切断される他のパッケージ形状は、パッケージ２の内容物を見られるように透明性を与えるこのような幅広のジョイントストリップ４を備え得る。
【００１４】
図２において、ジョイントストリップ４はパッケージ１の壁面の一部として示されており、このストリップは良好な透明性を与え、消費者に密閉内容物を見えるようにしている。レベルマーキング１１がジョイントストリップ４に隣接してパッケージの積層材の部分３に予め印刷されており、内容物があと幾らパッケージ１内に残存するかを示すようになされている。これに代えて、レベルマーキング１１は図３に示されるようにジョイントストリップに印刷できる。
【００１５】
パッケージ２が消費者により開封されるとき、カバーストリップ９が切り離され、カバーストリップ９のシールされていない部分１０が摘まれてパッケージ１の端部壁１２へ向けて切り離される。この操作により、ジョイントストリップ４に予めパンチ加工された穴８が露出され、密閉内容物をその時点で消費できるようになる。
【００１６】
前述の説明で明白となるように、本発明はその幅部分が消費者にパッケージ内容物を見られるようにし、またそれ自体がパッケージの開口構造部を備えたジョイントストリップを実現する。
【００１７】
本発明は前述されおよび図示されたことに限定されるものと考えるべきではなく、多くの変更が特許請求の範囲に記載の精神および範囲から逸脱せずに考えられる。
【図面の簡単な説明】
【図１】本発明によるパッケージに使用する材料ウェブの断片を示す正面図。
【図２】本発明によるパッケージを示す斜視図。
【図３】本発明によるパッケージの他の実施例の一部を示す斜視図。
【符号の説明】
１  材料ウェブ
３  幅広部分
４  ジョイントストリップ
５  壁面
６  長手側面
７  開口構造部
８  穴
９  カバーストリップ
１０  シールされていない部分
１１  レベルマーキング
１２  端部壁
１３  蓋部分
【図１】
0003561526.tif 000002
【図２】
0003561526.tif 000003
【図３】
0003561526.tif 000004